(57)【特許請求の範囲】
【請求項１】
磁気テープを巻装してなる単一のリールを、カートリッジケース内に回転可能に収容した磁気テープカートリッジにおいて、
前記磁気テープの自由端部にケースからの引出し用リーダーピンが固着され、
前記リーダーピンの一部に、該リーダーピンの軸回りにおける前記テープの固着位置に対する該リーダーピンの向きを特定するための切欠部が形成されたことを特徴とする磁気テープカートリッジ。
【発明の詳細な説明】
【０００１】
【発明の属する技術分野】
本発明は、磁気テープカートリッジに関し、詳細には単一のリールに巻装された磁気テープの自由端部に固着されるリーダーピンの改良に関するものである。
【０００２】
【従来の技術】
従来、コンピュータ等の外部記憶装置に用いられる記録媒体として使用されている磁気テープカートリッジには、単一のリールに磁気テープを巻装したものをカートリッジケース内に回転自在に収容したタイプのものが知られている。
【０００３】
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。そして、磁気テープの引出し側の先端部である自由端部には、記憶装置のドライブ機構がテープをカートリッジケースからスムーズに引き出し、記録部や再生部等を含むテープ走行経路にテープを導入するすためにリーダー片が固着されている。記憶装置のドライブ機構はこのリーダー片を把持してテープを記憶装置内に引き回して所定のテープ走行路にセットする。
【０００４】
またこのリーダー片はドライブ機構が把持しやすいように、また不用意に磁気テープがケースから引き出されないように、ケース内の一定の位置に係止される必要があり、リーダー片の一部には、ケース側に形成された係止部に係止される被係止部が形成されている。
【０００５】
このようなリーダー片は従来はブロック形状のものが知られており、カートリッジケースの、テープが引き出される開口を塞ぐ蓋としての機能を兼ねるものもある。
【０００６】
【発明が解決しようとする課題】
ところで近年、新しいタイプの磁気テープカートリッジが提案されている。この新しいタイプのものは、基本的な構成は従来のものと同様であるが、細部において種々の工夫がなされ、例えば従来のリーダー片に相当するリーダーピンは外部記憶装置側における占有スペースを低減するようにも構成されている。
【０００７】
またこのリーダーピンの円柱状の一部は、ケースの係止部に係止され、記憶装置側のドライブ機構にも把持される。
【０００８】
一方、リーダーピンをこのように円柱形状にすると、テープの固着位置に対するリーダーピン自体の軸回り（周方向）における位置関係が不明確になるという問題がある。
【０００９】
例えば磁気テープカートリッジの製造工程においては、リーダーピンの周方向の特定の位置に磁気テープを固着する際、上述したピンの一部を治工具で把持した状態でテープをピンに固着させるが、ピンが円柱状であるために、治工具で把持するピンの軸回りの方向を特定することができず、ピンの特定位置にテープを固着することができない。また、カートリッジケースにテープが固着されたリーダーピンを組み付ける際も、ピンの一部を治工具等で把持して組み付けるが、ピンの軸回りにおける組付け向きが特定できないために、固着されたテープがピンに巻き付いたままでケースに係止されることも考えられる。
【００１０】
このようにテープがピンに巻き付いた状態でケースに係止された磁気テープカートリッジは、記憶装置にセットされてドライブ機構によりピンが把持されて所定の位置にセットされた際に、ピンに巻き付いたテープが解けてピンが自転し、その動きによりピンが所定の位置から外れる虞もある。
【００１１】
本発明は上記事情に鑑みなされたものであって、磁気テープを固着する位置に対するリーダーピン自体の軸回りにおける向きを特定することができる磁気テープカートリッジを提供することを目的とするものである。
【００１２】
【課題を解決するための手段】
本発明の磁気テープカートリッジは、リーダーピンに、ピンの軸回りの向きを特定し得る切り欠き形状を形成したものである。
【００１３】
すなわち、本発明の磁気テープカートリッジは、磁気テープを巻装してなる単一のリールを、カートリッジケース内に回転可能に収容した磁気テープカートリッジにおいて、
磁気テープの自由端部にケースからの引出し用リーダーピンが固着され、
前記リーダーピンの一部に、該リーダーピンの軸回りにおける前記テープの固着位置に対する該リーダーピンの向きを特定するための切欠部が形成されたことを特徴とするものである。
【００１４】
切欠部としては、例えば、円柱の周面の一部を平面で切り落としたもの等を適用することができる。
【００１５】
リーダーピンへの磁気テープの固着方法は種々の方法を適用することでき、例えば、ピンの周面に軸方向に延びる溝を形成し、この溝の内面にテープの始端部を沿わせ、溝よりも僅かに小さい円柱状等のクランプを、そのテープを沿わせた溝に嵌入させてテープを固着する等の方法を適用することができる。
【００１６】
またこのリーダーピンは磁気テープの幅よりも長く、かつ、固着されたテープの両側端縁からその両端部がそれぞれ突出するように形成されるのが好ましく、この場合、突出した両端部分が、ケースの係止部に係止される被係止部として構成される。またこの突出した部分には、記憶装置側のドライブ機構に把持される部分としても機能する。
【００１７】
【発明の効果】
本発明の磁気テープカートリッジは、リーダーピンの一部に、ピンの軸回りの向きを特定し得る切欠部が形成されたことにより、カートリッジの製造工程において、形成された切欠部の形状に適合するように治工具をセットすることで、磁気テープの固着位置に対するリーダーピンの軸回りの向きを、常に一定方向に設定することができ、リーダーピンの位置決めを確実に行うことができる。
【００１８】
【発明の実施の形態】
以下、本発明の磁気テープカートリッジの具体的な実施の形態について、図面を用いて説明する。
【００１９】
図２は本発明の磁気テープカートリッジの一実施形態の構成を示す分解斜視図、図３は図１に示したカートリッジのリーダーピンの詳細を示す図、図４はカートリッジケースの係止部にリーダーピンが係止されている様子を示す、図１のＩ−Ｉ線による断面を示す要部断面図、図１は図３に示したリーダーピンが治工具にチャッキングされている様子を含む図である。
【００２０】
図２に示すように、本実施形態の磁気テープカートリッジ１は、下リール５と上リール６とを超音波溶着により結合した単一のリール４に、磁気テープ20を巻装し、上ケース２と下ケース３とがビス等により締結されるカートリッジケース７内に、リール４を回動自在に収容して構成される。
【００２１】
下リール５は外周に磁気テープ20が巻回される円筒状のリールハブ23と、リールハブ23の下端外周から径方向に張り出したフランジ部24とを合成樹脂により一体成型したもので、リールハブ23の底部外面に、リール４を回転駆動するマグネット式の回転駆動手段（図示せず）を接合させるためのリールプレート８が取付けられる。またリールハブ23の底部内面には、ブレーキボタン９に形成された制止用ギア９Ａと係合して不使用時の回転を拘束する制止用ギア23Ａが刻設されている。さらに、リールハブ23には、磁気テープカートリッジ１を使用する外部記憶装置等の記録再生装置に設けられたドライブ解除スピンドルが挿通されて、ブレーキボタン９を上方へ移動させるための開口23Ｂが形成されている。
【００２２】
ブレーキボタン９は、リールハブ23と対向する側に上述した制止用ギア９Ａが形成されており、それとは反対側の面に、上ケース２に形成されたブレーキガイド突起（図示せず）が嵌合される嵌合溝９Ｂが形成されている。
【００２３】
そして、ブレーキボタン９はコイルバネ10により、図中下方に付勢された状態でリールハブ23内部に装着されており、ブレーキボタン９の制止用ギア９Ａとリールハブ23の制止用ギア23Ａとが咬み合ってリール４の不使用時における回転が防止されている。
【００２４】
一方、カートリッジ使用時は、記録再生装置のドライブ解除スピンドルがブレーキボタン９を押圧すると、ブレーキボタン９がコイルバネ10の付勢力に抗して図中上方へ移動し、これにより制止用ギア９Ａ，23Ａの係合が解除され、リール４が回転自在とされる。
【００２５】
カートリッジケース７の一側壁には、磁気テープ20を引き出すための開口部26が形成されている。開口部26にはカートリッジケース７の側壁に平行な矢印Ａ方向に移動可能なスライドドア27が取付けられている。スライドドア27は不図示のバネにより、開口部26を閉じる方向に付勢されている。
【００２６】
また、長尺の磁気テープ20の一方の端部はリールハブ23に固着され、このリールハブ23に巻回された外周側の端部である自由端部には、記録再生装置のドライブ機構がテープ20をカートリッジケース７からスムーズに引き出し、記録再生装置の記録部や再生部等を含むテープ走行経路にテープ20を導入するためのリーダーピン21が固着されている。
【００２７】
このリーダーピン21は詳細には図３に示すように、略円柱状に形成され、テープ20の自由端部（始端部）が固着される胴部21Ａと、テープ20の両側端縁からそれぞれ突出した部分とからなり、この突出部分には記録再生装置のドライブ機構の構成要素であるフックが係合されるフック係合溝21Ｃと、カートリッジ１の不使用時にテープ20がリール４に巻き込まれた状態で、ケース７の開口部26の近傍に形成された係止部Ｐ（図４参照）に係止される被係止部21Ｄとを備えている。
【００２８】
さらに図３（２）に示すように、このピン21の胴部21Ａには断面半円状で軸方向に延びる溝が形成されており、この溝の壁面に沿ってテープ20の自由端部が配置され、溝よりも僅かに小さく形成されたクランプ21Ｂがテープ20を溝の壁面との間に挟むように溝に嵌入されて、テープ20の自由端をリーダーピン21の胴部21Ａに固着している。
【００２９】
被係止部21Ｄには、その円柱形状の周面の一部をその軸方向に平行な平面で切り取った２つの切欠部21Ｅが形成されている。この２つの切欠部21Ｅはその切り取った切断面Ｓが互いに平行で、かつ、図３（２）に示すようにピン21の軸回りにおけるテープ20の固着端と軸中心とを結ぶ線に平行になるように形成されている。そしてリーダーピン21にテープ20を固着する組立作業においては、図１（１）に示すように、治工具 100のチャッキング面がこの被係止部21Ｄの２つの切断面Ｓに密着してピン21をチャッキングする。さらに、ケース７の係止部Ｐにピン21を係止される組立作業においても、治工具のチャッキング面がこの被係止部21Ｄの２つの切断面Ｓに密着してピン21をチャッキングする。
【００３０】
このように構成された磁気テープカートリッジ１が記録再生装置にセットされると、上述したようにブレーキボタン９とリールハブ23との制止用ギア９Ａ，23Ａの係止が解除されてリール４が回転自在とされるとともに、マグネット式の回転駆動手段がリールプレート８と接合してリール４を回転する。これとともに、スライドドア27が開かれて、図示しないドライブ機構のフックが、ケース７内の係止部Ｐに係止されたリーダーピン21のフック係合溝21Ｃに掛けられ、弾性部材50による矢印Ｙ方向への付勢力に抗してリーダーピン21およびリーダーピン21に固着されたテープ20を、スライドドア27が開放された開口26からケース７の外側に矢印Ｘ方向に引き出し、そのまま記録再生装置のテープ走行路に引き回し、所定位置にピン21をセットし、磁気テープ20へのデータの記録および磁気テープ20からのデータの再生が可能となる。
【００３１】
またこの磁気テープカートリッジの製造工程において、リーダーピン21の被係止部21Ｄに、ピン21の軸回りにおけるテープ20の固着位置と対応付けられた切欠部21Ｅを形成したことにより、リーダーピン21にテープ20を固着する組立作業においては、治工具 100のチャッキング面がこの被係止部21Ｄの２つの切断面Ｓに密着して、ピン21を常に一定の向きにチャッキングすることができ、リーダーピン21の位置決めを確実に行うことができる。すなわちピン21の向きに対して特定の位置関係にある磁気テープを固着すべき位置（すなわち胴部21Ａに形成された溝）も一定方向に向けることができるため、リーダーピン21にテープ20を固着する組立作業を容易にし、作業の自動化等を図ることも可能になる。
【００３２】
さらに、ケース７の係止部Ｐにピン21を係止される組立作業においても、治工具のチャッキング面がこの被係止部21Ｄの２つの切断面Ｓに密着してピン21を常に一定の向きにチャッキングすることができ、ピン21の向きに対して特定の位置関係にある磁気テープの固着位置も一定方向に向けることができるため、この固着位置を、リール４に巻き取られるテープ20の巻取方向に常に向けることができ、この向きが巻取方向に向かない場合にテープ20の自由端部の一部がピン21の周面に巻き付いたままで、ピン21がケース７に係止される、という事態を防止することができる。
【００３３】
なお、記録再生装置のドライブ機構のフックは、必ずしもピン21のフック係合部21Ｃに係合するものである必要はなく、被係止部21Ｄを把持するものであってもよい。この場合フックを上記治工具と同様に、被係止部21Ｄの２つの切断面Ｓに密着してチャッキングする形態とすれば、ドライブ機構がピン21を記録再生装置内に引き回す操作においても、ピン21の向きに対して特定の位置関係にある磁気テープの固着位置も一定方向に向けることができるため、引き回しの際にピン21の向きを変化させることにより固着位置の向きをコントロールして、固着位置にテープ20のテンションが不適当に集中するのを防止することもできる。
【００３４】
一方、この被係止部21Ｄを把持する形式のフックであって、その把持する部分が円形でなければならないという制約がある場合は、図１（１），（２）に示すように被係止部21Ｄの高さ方向（図中の上下方向）全体に亘る切欠部を形成することはできない。
【００３５】
この場合は、例えば、被係止部21Ｄの高さ方向の下側半分のみ（同図（３）〜（５）参照）または上側半分のみに切欠部を設けた構成や、被係止部21Ｄの高さ方向の中央部にのみ切欠部を設けた構成（同図（６）〜（８）参照）を採用すればよい。
【図面の簡単な説明】
【図１】（１）は第１の実施形態によるリーダーピンが治工具にチャッキングされている様子を示す要部斜視図、（２）は（１）の矢視Ａによる平面図、（３）は第２の実施形態によるリーダーピンを示す要部斜視図、（４）は（３）のＢ−Ｂ線断面を示す端面図、（５）は（４）のＣ−Ｃ線断面を示す端面図、（６）は第３の実施形態によるリーダーピンを示す要部斜視図、（７）は（６）のＤ−Ｄ線断面を示す端面図、（８）は（７）のＥ−Ｅ線断面を示す端面図
【図２】本発明の磁気テープカートリッジの一実施形態を示す分解斜視図
【図３】（１）は図１に示したカートリッジのリーダーピンの詳細を示す斜視図、（２）は（１）のII−II線断面を示す断面図
【図４】カートリッジケースの係止部にリーダーピンが係止されている様子を示す、図１のＩ−Ｉ線による断面を示す要部断面図
【符号の説明】
20    磁気テープ
21Ａ  胴部
21Ｃ  フック係合部
21Ｄ  被係止部
100   治工具
Ｓ    切欠きによる切断面
Ｘ    テープの引出し方向
【図１】
0003642938.tif 000002
【図２】
0003642938.tif 000003
【図３】
0003642938.tif 000004
【図４】
0003642938.tif 000005